(57)【要約】【課題】本発明は、埃や水などの物質が入ることを防止し、且つ小型化したＵＳＢ装置を提供する。【解決手段】本発明に係るＵＳＢ装置は、ＵＳＢコネクタ及び前記ＵＳＢコネクタを囲むハウジングを備えるコネクタと、前記コネクタに対向して設置される係合部材と、前記コネクタと前記係合部材とを接続するホルダーと、を備える。前記ＵＳＢコネクタは、接続端及び前記接続端から離れる自由端を備え、前記接続端は、前記ホルダーに回転可能に設置され、前記自由端は、接続端を円心として、第一スプリングの弾性力によって円運動をして弾き出され、前記係合部材が前記自由端に係合すると、前記自由端は、前記ホルダーに係合される。【選択図】図１
2013089255.tif 000002
【特許請求の範囲】
【請求項１】
ＵＳＢコネクタ及び前記ＵＳＢコネクタを囲むハウジングを備えるコネクタと、該コネクタに対向して設置される係合部材と、前記コネクタと前記係合部材とを接続するホルダーと、を備えるＵＳＢ装置であって、
前記ＵＳＢコネクタは、接続端及び該接続端から離れる自由端を備え、前記接続端は、前記ホルダーに回転可能に設置され、前記自由端は、接続端を円心として、第一スプリングの弾性力によって円運動をして弾き出され、前記係合部材が前記自由端に係合すると、前記自由端は、前記ホルダーに係合されることを特徴とするＵＳＢ装置。
【請求項２】
前記ホルダーは、階段状に配列される第一固定板、第二固定板及び第三固定板を備え、前記第三固定板から前記係合部材までの垂直距離は、前記第二固定板から前記係合部材までの垂直距離より大きく、前記第二固定板から前記係合部材までの垂直距離は、前記第一固定板から前記係合部材までの垂直距離より大きく、
前記ホルダーは、前記第一固定板と前記第二固定板とに垂直に接続され且つ前記第二固定板と前記第三固定板とに垂直に接続される２つの接続板をさらに備え、前記第三固定板の２つの長辺には、互いに平行な第一挟持板及び第二挟持板が前記第三固定板に垂直に延在し、前記コネクタは、前記第一挟持板と前記第二挟持板との間に挟持されることを特徴とする請求項１に記載のＵＳＢ装置。
【請求項３】
前記接続端は、直角三角形の形状を呈し、且つ対向して設置された２つの平板を備え、各々の平板は、第一直角辺、第二直角辺及び斜辺をそれぞれ備え、前記第一直角辺は、前記自由端に接続され、前記第二直角辺と斜辺との交差する箇所には孔がそれぞれ設けられ、
前記第一挟持板の第三固定板から離れる端部には、第一軸孔が設けられ、前記第二挟持板の前記第一軸孔に対応する箇所には、第三軸孔が設けられ、前記第三軸孔の前記第三固定板に近い箇所には、周縁から軸心に向かって突起部が突出し、
前記ＵＳＢ装置は、第一軸をさらに備え、該第一軸には、溝が軸方向に沿って設けられ、前記第一軸は、前記第一軸孔、前記孔及び第三軸孔を順に貫通し、前記第三軸孔の突起部は前記第一軸の溝に係合されることを特徴とする請求項２に記載のＵＳＢ装置。
【請求項４】
前記ＵＳＢコネクタは、前記平板に垂直に連接される第一接続部材及び第二接続部材を備え、前記第一接続部材は、前記第二直角辺から離れる片側に位置し、前記第二接続部材は、２つの平板の間に挟まれ、且つ前記第二直角辺の前記孔に近い片側に位置し、
前記第一スプリングは、２つの平板と前記第一接続部材と前記第二接続部材とから構成される収容空間に収容され、前記第一スプリングはトーションバネであり、第一爪及び第二爪を備え、２つの平板の間に設置され、前記第一爪は、前記第一軸の溝に係合され、前記第二爪は、前記第二接続部材に当接されることを特徴とする請求項３に記載のＵＳＢ装置。
【請求項５】
前記ハウジングは、第一殻体及び前記第一殻体に係合する第二殻体を備え、前記第一殻体は矩形であり、前記ＵＳＢコネクタに対面する第一内表面を備え、前記第一殻体の各々の長辺には、複数の突出部が前記第一内表面に直交する方向に向かってそれぞれ延在し、各々の前記突出部には、貫通孔が前記第一内表面に対して平行にそれぞれ設けられ、前記第二殻体は矩形であり、前記ＵＳＢコネクタに対面する第二内表面を備え、前記第二殻体の各々の長辺には、複数の突出板が前記第二内表面に直交する方向に向かってそれぞれ延在し、前記突出板には、バンプが前記第二内表面に対して平行に設置され、複数の前記バンプを、対応する貫通孔に貫通させることを特徴とする請求項１から４のいずれか一項に記載のＵＳＢ装置。
【請求項６】
前記第一内表面には、第一楕円孔及び第二楕円孔が設けられ、前記第一楕円孔の長さ方向は、前記第一殻体の長さ方向に平行であり、且つ前記第二楕円孔の長さ方向に直交し、前記第二楕円孔は、前記第一楕円孔の２つの長辺におけるそれぞれの中間点を接続する線の延長線上に位置し、前記第一楕円孔は、第一端及び前記第一端の反対側に位置して前記自由端に近い第二端を備え、前記第二内表面には、第三楕円孔が設けられ、前記第三楕円孔の長さ方向は、前記第二殻体に平行であり、前記第三楕円孔は、前記第一楕円孔に対応することを特徴とする請求項５に記載のＵＳＢ装置。
【請求項７】
前記第二楕円孔は、前記第一楕円孔に近い第三端及び前記第三端の反対側に位置する第四端を備え、前記第二楕円孔に対応する箇所には、第二軸孔が設けられ、前記ＵＳＢ装置は、第二軸をさらに備え、前記第二軸は、その中央部の径が大きく、両端の径が小さく、前記第二軸の一端は、前記第二軸孔及び前記第二楕円孔を貫通することを特徴とする請求項６に記載のＵＳＢ装置。
【請求項８】
前記係合部材は、ベースと、位置決め部材と、可動部材及び第二スプリングと、を備え、前記ベースは、第一支持部と、前記第一支持部に平行な第二支持部及び前記第一支持部と前記第二支持部とに直交して接続されている第三支持部と、を備え、前記第一支持部と前記第三支持板とは、前記第二支持部の両側に位置し、前記第一支持部は、前記第二支持部から離れた第一外表面を備え、前記第一外表面には、第一収容空間が設けられ、前記第一外表面の前記コネクタから離れる片側には、第一滑動部材が突設され、前記可動部材は、前記ベースに対面する第四外表面を備え、前記第四外表面には、矩形を呈する第三収容空間が設けられ、該第三収容空間は、前記第四外表面に平行な底面及び２つの前記底面に直交する側面により囲まれ、各々の側面の前記第一滑動部材に近い箇所には、２つの突部が前記側面に直交する方向に且つそれぞれ他方の前記側面に向かって延在し、前記第三収容空間には、２つの側面と前記底面とに垂直に連接する仕切り板が設置され、該仕切り板の前記突部に近い片側には、案内部が前記仕切り板に対して垂直に延在し、前記案内部は、前記第二スプリングを貫通し、該第二スプリングは、前記第一収容空間に収容されることを特徴とする請求項７に記載のＵＳＢ装置。
【請求項９】
第二支持部は、第一外表面に直交する第二外表面を備え、前記第二外表面には第二収容空間が設けられ、前記位置決め部材は“Ｔ”字形であり、前記位置決め部材は、前記第二支持部に平行な第一ロッド及び該第一ロッドに垂直に連接する第二ロッドを備え、前記第二ロッドは、前記第一外表面に垂直な第六外表面及び前記第六外表面に垂直な第七外表面を備え、前記第六外表面の前記第一ロッドから離れる片側にはバンプが設置され、前記第七外表面から外側へ、２つのフランジが延在し、前記フランジは、第二収容空間に収容されることを特徴とする請求項８に記載のＵＳＢ装置。
【請求項１０】
前記第一ロッドと前記第二ロッドとが交差する箇所の前記ホルダーに近い片側には、直方体状の接続部が設置され、前記接続部は、前記ベースに対面する第八外表面を備え、前記第八外表面には係合溝が設けられ、前記ベースは、２つの固定部材を備え、前記固定部材は、前記第一支持部と前記第二支持部とが交差する箇所に、且つ前記第一外表面から離れて設置され、前記第一支持部と前記第二支持部との交差する箇所には、開口部が設けられ、前記係合部材は、第三スプリングをさらに備え、該第三スプリングは、第三爪及び第四爪を備え、前記第三スプリングは前記固定部材を貫通し、前記第三爪は前記第一支持部に当接し、前記第四爪は、前記開口部を貫通して前記係合溝に係合されることを特徴とする請求項９に記載のＵＳＢ装置。
【請求項１１】
前記第四外表面の前記第一滑動部材から離れる片側には、２つの位置決め溝が設けられ、前記第一ロッドは、前記第一外表面に平行な第五外表面を備え、前記第五外表面の両端には、２つの位置決め部が前記第二ロッドから離れて延在し、前記自由端は、接続端を円心として第一スプリングの弾性力によって円運動をして弾き出され、２つの位置決め部は、それぞれ２つの位置決め溝に係合されることを特徴とする請求項１０に記載のＵＳＢ装置。
【請求項１２】
前記第二ロッドは、前記第一外表面に垂直な第六外表面を備え、前記第六外表面の前記第一ロッドから離れる片側にはバンプが設置され、前記自由端が前記ホルダーに係合される際、前記自由端は、前記バンプに当接し、前記可動部材の一端は前記自由端と係合することを特徴とする請求項１１に記載のＵＳＢ装置。
【発明の詳細な説明】
【技術分野】
【０００１】
本発明は、ＵＳＢ装置に関するものである。
【背景技術】
【０００２】
現在、携帯式電子装置をコンピュータに接続する際、一般的には先ず、ＵＳＢデータ線の一端を、該携帯電子装置上に設置されているＵＳＢポートに接続した後、他端をコンピュータに接続するか、又はＵＳＢコネクタを使用して、該携帯式電子装置の中のデータ等をコンピュータに転送する。しかし、前記ＵＳＢデータ線は携帯に不便であり、また、前記ＵＳＢコネクタを使用しない際、特にプラグの部分が露出された状態である場合、埃や水などの物質が入り易いため、転送に影響を与える可能性がある。
【発明の概要】
【発明が解決しようとする課題】
【０００３】
本発明の目的は、前記課題を解決し、埃や水などの物質が入ることを防止し、且つ小型化したＵＳＢ装置を提供することである。
【課題を解決するための手段】
【０００４】
本発明に係るＵＳＢ装置は、ＵＳＢコネクタ及び前記ＵＳＢコネクタを囲むハウジングを備えるコネクタと、前記コネクタに対向して設置される係合部材と、前記コネクタと前記係合部材とを接続するホルダーと、を備える。前記ＵＳＢコネクタは、接続端及び前記接続端から離れる自由端を備え、前記接続端は、前記ホルダーに回転可能に設置され、前記自由端は、接続端を円心として、第一スプリングの弾性力によって円運動をして弾き出され、前記係合部材が前記自由端に係合すると、前記自由端は、前記ホルダーに係合される。
【発明の効果】
【０００５】
本発明のＵＳＢ装置は、使用する際、前記ＵＳＢコネクタの自由端を前記係合部材から分離させる。つまり、前記自由端を弾き出す。次いで、弾き出した前記自由端をコンピュータに接続してデータの転送などを行う。前記ＵＳＢ装置を使用した後は、前記自由端を前記ホルダーまで回転させて、前記係合部材を前記自由端に係合させる。これにより、前記ＵＳＢコネクタは、前記ホルダーに全て収容されるため、埃や水などの物質が入ることを防止することができる。また、前記ＵＳＢ装置が折り畳まれた状態で、前記ＵＳＢコネクタを、前記ハウジングに収容することができるため、前記ＵＳＢ装置自体の長さは短くなり、小型化することができる。
【図面の簡単な説明】
【０００６】
【図１】本発明の実施形態に係るＵＳＢ装置の組立斜視図である。
【図２】図１に示す本発明の実施形態に係るＵＳＢ装置の分解斜視図である。
【図３】図２に示すＵＳＢ装置の別の視点から見た分解斜視図である。
【図４】図１に示すＵＳＢ装置の係合部材の分解斜視図である。
【図５】図１に示すＵＳＢ装置の係合部材の断面図である。
【図６】図１に示すＵＳＢ装置の開いた状態を表す図である。
【発明を実施するための形態】
【０００７】
以下、図面を参照して、本発明の実施形態について説明する。
【０００８】
図１及び図２を参照すると、本発明の実施形態に係るＵＳＢ装置１００は、コネクタ１０と、前記コネクタ１０と係合する係合部材３０と、前記コネクタ１０と前記係合部材３０を接続するホルダー５０と、第一軸６０と、第二軸７０と、第一固定部材８０と、第二固定部材８１及び第三固定部材８２と、を備える。前記コネクタ１０は、前記ホルダー５０に、前記第一軸６０及び前記第二軸７０によって設置される。前記係合部材３０は、前記ホルダー５０に、前記第一固定部材８０及び前記第二固定部材８１によって設置される。前記ＵＳＢ装置１００は、電子装置のハウジング（図示せず）内に、前記第三固定部材８２によって設置される。本実施形態において、前記第一固定部材８０、前記第二固定部材８１及び前記第三固定部材８２は、ボルトである。
【０００９】
図３を参照すると、前記コネクタ１０は、ＵＳＢコネクタ１１と、前記ＵＳＢコネクタ１１を囲むハウジング１２及び第一スプリング１５と、を備える。
【００１０】
前記ＵＳＢコネクタ１１は、接続端１１０及び前記接続端１１０から離れた自由端１１１を備える。前記接続端１１０は、前記ホルダー５０に回転可能に設置される。また、前記接続端１１０は、略直角三角形の形状を呈し、且つ対向して設置された２つの平板１１２を備える。各々の前記平板１１２は、第一直角辺１１２１、第二直角辺１１２２及び斜辺１１２３をそれぞれ備え、前記第一直角辺１１２１は、前記自由端１１１に接続される。前記第二直角辺１１２２と前記斜辺１１２３とが交差する箇所には、孔１１３がそれぞれ設けられている。前記ＵＳＢコネクタ１１は、前記平板１１２に垂直に連接される第一接続部材１１４及び第二接続部材１１５を備える。前記第一接続部材１１４は、前記第一直角辺１１２１から離れる片側に位置して、円弧状を呈し、且つ前記孔１１３と同心である。前記第二接続部材１１５は平板状であり、前記第二直角辺１１２２の前記孔１１３に近い側に位置し、且つ２つの平板１１２の間に挟まれる。
【００１１】
前記ハウジング１２は、第一殻体１３及び該第一殻体１３に係合される第二殻体１４を備える。前記ＵＳＢコネクタ１１は、前記ハウジング１２内に収容される。前記第一殻体１３は略矩形であり、且つ前記ＵＳＢコネクタ１１に対面する第一内表面１３１を備える。前記第一殻体１３の各々の長辺には、複数の突出部１３２が、前記第一内表面１３１に直交する方向（つまり、前記ＵＳＢコネクタ１１に向かう方向）に向かってそれぞれ延在している。各々の前記突出部１３２には、貫通孔１３３が前記第一内表面１３１の長さ方向に対して平行にそれぞれ設けられている。前記第一内表面１３１には、第一楕円孔１３４及び第二楕円孔１３５が設けられている。前記第一楕円孔１３４は、前記第一内表面１３１における下部に且つ前記平板１１２と対向するように設けられている。前記第一楕円孔１３４の長さ方向は、前記第一殻体１３の長さ方向に平行であり、且つ前記第二楕円孔１３５の長さ方向に直交する。前記第二楕円孔１３５は、前記第一楕円孔１３４の２つの長辺におけるそれぞれの中間点を接続する線の延長線上に位置する。前記第一楕円孔１３４は、第一端１３４１及び前記第一端１３４１の反対側に位置し、且つ前記自由端１１１に近い第二端１３４２を備える。また、前記第二楕円孔１３５は、第一楕円孔１３４に近い第三端１３５１及び前記第三端１３５１の反対側に位置する第四端１３５２を備える。
【００１２】
前記第二殻体１４は矩形であり、前記ＵＳＢコネクタ１１に対面する第二内表面１４１を備える。前記前記第二殻体１４の各々の長辺には、突出板１４２が前記第二内表面１４１に直交する方向（つまり、前記ＵＳＢコネクタ１１に向かう方向）に向かって延在している。前記突出板１４２には、複数のバンプ１４３が前記第二内表面１４１の長さ方向に対して平行に設置され、該第二内表面１４１には、第三楕円孔１４４が設けられている。前記第三楕円孔１４４の長さ方向は、前記第二殻体１４の長さ方向に平行である。また、前記第三楕円孔１４４は、前記第一楕円孔１３４に対応する。
【００１３】
前記第一スプリング１５はトーションバネであり、２つの平板１１２の間に設置され、且つ第一爪１５１及び第二爪１５２を備える。
【００１４】
図４及び図５を併せて参照すると、前記係合部材３０は、ベース３１と、位置決め部材３２と、可動部材３３と、第二スプリング３４及び第三スプリング３５と、を備える。
【００１５】
前記ベース３１は、第一支持部３１１と、前記第一支持部３１１に垂直に設置された第二支持部３１２及び前記第二支持部３１２に直交して接続されている第三支持部３１３と、を備える。前記第一支持部３１１及び前記第三支持部３１３は、前記第二支持部３１２の両側に位置する。前記第一支持部３１１は、前記第二支持部３１２から離れた箇所に、且つ前記第一支持部３１１に直交する第一外表面３１１ａを備え、該第一外表面３１１ａには、第一外表面３１１ａから下方に窪むことで第一収容空間３１１１が設けられている。前記第一外表面３１１ａの前記コネクタ１０から離れる片側には、“Ｔ”字形の第一滑動部材３１１２が突設されている。第二支持部３１２は、前記第一外表面３１１ａに直交する第二外表面３１２ａを備え、該第二外表面３１２ａには、第二収容空間３１２１が設けられている。前記第三支持部３１３は、前記第二外表面３１２ａに直交する第三外表面３１３ａを備え、該第三外表面３１３ａには、柱体３１３１が設置されている。また、前記ベース３１は、２つの固定部材３１４を備え、２つの前記固定部材３１４は、前記第一支持部３１１と前記第二支持部３１２とが交差する箇所の近くに、且つ前記第一外表面３１１ａから離れた一側に設置される。また、前記第一支持部３１１と前記第二支持部３１２との交差する箇所には、さらに開口部３１５が設けられている。
【００１６】
前記可動部材３３は直方体であり、前記第一支持部３１１上に設置される。前記可動部材３３は、前記ベース３１に対面する第四外表面３３ａを備える。前記第四外表面３３ａには、該第四外表面３３ａから下方に窪むことによって、且つ矩形を呈する第三収容空間３３１が設けられている。前記第三収容空間３３１は、前記第四外表面３３ａに平行な底面３３１ａ及び前記底面３３１ａに直交する２つの側面３３１ｂによって囲まれている。各々の側面３３１ｂの前記第一滑動部材３１１２に近い所には、２つの突部３３１１が、前記側面３３１ｂに垂直に、且つ他方の側面３３１ｂに向かって延在している。前記第三収容空間３３１には、２つの前記側面３３１ｂと前記底面３３１ａとに垂直に連接している仕切り板３３１２が設置されている。前記仕切り板３３１２の前記突部３３１１に近い片側には、案内部３３１３が前記仕切り板３３１２に垂直に延在している。本実施形態において、前記案内部３３１３の断面は、“十”字形である。また、前記第四外表面３３ａの前記第一滑動部材３１１２から離れる片側には、２つの位置決め溝３３２が設けられている。
【００１７】
前記位置決め部材３２は“Ｔ”字形であり、前記第二支持部３１２内に部分的に収容される。前記位置決め部材３２は、前記第二支持部３１２に平行な第一ロッド３２１及び前記第一ロッド３２１に垂直に連接する第二ロッド３２２を備える。前記第一ロッド３２１は、前記第一外表面３１１ａに平行な第五外表面３２１ａを備える。前記第五外表面３２１ａの両端には、２つの位置決め部３２１１が前記第二ロッド３２２から離れる方向に延在する。前記第二ロッド３２２は、前記第一外表面３１１ａに垂直な第六外表面３２２ａ及び前記第六外表面３２２ａに垂直な第七外表面３２２ｂを備える。前記第六外表面３２２ａの前記第一ロッド３２１から離れる片側には、当接部３２２１が設置されている。また、前記第七外表面３２２ｂから外側へ向けて、２つのフランジ３２２２が延在している。前記第一ロッド３２１と前記第二ロッド３２２との交差する箇所の前記ホルダー５０に近い片側には、直方体状の接続部３２３が設置されている。前記接続部３２３は、前記ベース３１に対面する第八外表面３２３ａを備え、該第八外表面３２３ａにおける前記第五外表面３２１ａから離れる縁部には、係合溝３２３１が設けられている。
【００１８】
前記第三スプリング３５は、第三爪３５１及び第四爪３５２を備える。
【００１９】
前記ホルダー５０は、階段状に配列された第一固定板５１、第二固定板５２及び第三固定板５３を備える。前記第三固定板５３から前記係合部材３０までの垂直距離は、前記第二固定板５２から前記係合部材３０までの垂直距離より大きい。前記第二固定板５２から前記係合部材３０までの垂直距離は、前記第一固定板５１から前記係合部材３０までの垂直距離より大きい。前記ホルダー５０は、前記第一固定板５１と前記第二固定板５２とに垂直に接続され及び前記第二固定板５２と前記第三固定板５３とに垂直に接続される２つの接続板５４をさらに備える。前記第三固定板５３の２つの長辺には、互いに平行な第一挟持板５５及び第二挟持板５６が前記第三固定板５３に対して垂直に延在しており、前記コネクタ１０は、該第一挟持板５５と第二挟持板５６との間に挟持される。前記第一挟持板５５の前記第三固定板５３から離れる端部には、第一軸孔５５１が設けられ、前記第一挟持板５５の前記第二楕円孔１３５に対応する箇所には、第二軸孔５５２が設けられている。また、前記第一挟持板５５の前記第三固定板５３に近い端部には、固定孔５５３が設けられ、前記第二挟持板５６の前記第一軸孔５５１に対応する箇所には、第三軸孔５６１が設けられている。前記第三軸孔５６１の前記第三固定板５３に近い箇所には、周縁から軸心に向かって突起部５６１１が突出している。前記第二固定板５２の前記柱体３１３１に対応する位置には、第一ねじ孔５２１が設けられ、前記第一固定板５１の前記第二固定板５２から離れる端部には、第二ねじ孔５１１が設けられている。
【００２０】
前記第一軸６０には、溝６１１が軸方向に沿って前記第一軸６０の中央部まで設けられる。また、前記第二軸７０の中央部における外径は、両端部における外径よりも大きい。
【００２１】
ＵＳＢ装置１００を組み立てる時、先ず前記第一スプリング１５を前記ＵＳＢコネクタ１１に装着する。この際、前記第一スプリング１５を２つの前記平板１１２と前記第一接続部材１１４と前記第二接続部材１１５とから構成される収容空間内に収容し、前記第一スプリング１５の前記第二爪１５２を、前記第二接続部材１１５に当接させる。前記第一スプリング１５と前記孔１１３とは同軸である。次いで、前記第一殻体１３と前記第二殻体１４とを前記ＵＳＢコネクタ１１の両側に装着し、前記バンプ１４３を対応する貫通孔１３３に貫通させる。
【００２２】
次に、前記第三スプリング３５を前記ベース３１に装着して、前記第三スプリング３５に２つの前記固定部材３１４を貫通させる。この際、前記第三爪３５１は前記第一支持部３１１に当接し、前記第四爪３５２は、前記開口部３１５を貫通する。次に、前記位置決め部材３２を前記ベース３１に装着する。この際、前記位置決め部材３２の前記フランジ３２２２は、前記第二収容空間３１２１に収容され、前記第四爪３５２は、前記係合溝３２３１に係合される。次に、前記第二スプリング３４を前記ベース３１に装着する。この際、前記第二スプリング３４は、前記第一収容空間３１１１に収容される。最後に、前記可動部材３３を前記ベース３１に装着する。この際、前記突部３３１１は前記第一滑動部材３１１２に係合され、前記案内部３３１３は、前記第二スプリング３４を貫通する。
【００２３】
次に、前記係合部材３０を前記ホルダー５０に装着する。前記第一固定部材８０は、前記第一ねじ孔５２１を貫通して、前記第三支持部３１３に螺合する。前記第二固定部材８１は、前記第二ねじ孔５１１を貫通して前記第一支持部３１１に螺合する。
【００２４】
次に、前記コネクタ１０を前記ホルダー５０に装着する。この際、前記第一軸６０は、前記第一軸孔５５１、前記第一楕円孔１３４、前記孔１１３、前記第一スプリング１５、前記第三楕円孔１４４及び前記第三軸孔５６１を順に貫通する。また、前記第一スプリング１５の前記第一爪１５１及び前記第三軸孔５６１の前記突起部５６１１は、前記第一軸６０の溝６１１に係合し、前記第二軸７０の一端は、前記第二軸孔５５２を貫通して、前記第二楕円孔１３５に設置される。
【００２５】
最後に、前記第三固定部材８２を、前記固定孔５５３に貫通させる。これにより、前記ＵＳＢ装置１００を前記電子装置のハウジングの内に設置する。
【００２６】
前記ＵＳＢ装置１００を使用する際、前記ＵＳＢ装置１００は折り畳まれた状態或いは開いた状態である。前記ＵＳＢ装置１００を折り畳む際、前記ＵＳＢ装置１００の前記自由端１１１を、前記ホルダー５０に収容する。この際、前記第一スプリング１５は圧縮され、前記自由端１１１は、前記位置決め部材３２の前記当接部３２２１に当接される。また、前記第三スプリング３５も圧縮され、前記第二スプリング３４は伸長された状態である。前記自由端１１１は、前記可動部材３３の一端に係合される。
【００２７】
図６を参照すると、前記ＵＳＢ装置１００を開いた状態にする際、前記可動部材３３を第一軸６０から離れる方向へ移動させて、前記自由端１１１を前記係合部材３０から分離させる。この際、前記自由端１１１は、前記ハウジング１２から弾き出されて、前記第二スプリング３４は圧縮状態になり、且つ前記第一スプリング１５の弾性力の作用の下、前記孔１１３、すなわち接続端１１０を円心として、円運動を行い、前記ホルダー５０から離れる側に移動する。また、前記第三スプリング３５の弾性力によって、２つの前記位置決め部３２１１は、対応する２つの前記位置決め溝３３２に係合される。
【００２８】
前記第一軸６０は、前記第一楕円孔１３４及び前記第三楕円孔１４４に沿って移動することができる。前記ＵＳＢ装置１００が折り畳まれた状態である場合、前記第一軸６０は、前記第一端１３４１側に位置し、前記ＵＳＢ装置１００が開いた状態である場合、前記第一軸６０は、前記第二端１３４２側に位置する。また、前記第二軸７０は、前記第二楕円孔１３５に沿って移動することができる。ＵＳＢ装置１００が開いた状態から折り畳まれた状態になる場合、前記第二軸７０は、先ず前記第三端１３５１から前記第四端１３５２に移動する。また、ＵＳＢ装置１００が折り畳まれた状態から開いた状態になる場合、前記第二軸７０は、前記第四端１３５２から前記第三端１３５１に移動する。
【００２９】
前記ＵＳＢ装置１００を使用する際、前記ＵＳＢコネクタ１１の自由端１１１を、前記係合部材３０から分離させる。つまり、前記自由端１１１を弾き出す。次いで、弾き出した前記自由端１１１をコンピュータに接続してデータの転送などを行う。前記ＵＳＢ装置１００を使用した後は、前記自由端１１１を前記ホルダー５０まで回転させて、前記係合部材３０を前記自由端１１１に係合させる。これにより、前記ＵＳＢコネクタ１１は、前記ホルダー５０に全て収容されるため、埃や水などの物質が入ることを防止することができる。また、前記ＵＳＢ装置１００が折り畳まれた状態で、前記ＵＳＢコネクタ１１を、前記ハウジング１２に収容することができるため、前記ＵＳＢ装置１００自体の長さは短くなり、小型化することができる。
【００３０】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００３１】
１０  コネクタ
１１  ＵＳＢコネクタ
１２  ハウジング
１３  第一殻体
１４  第二殻体
１５  第一スプリング
３０  係合部材
３１  ベース
３２  位置決め部材
３３  可動部材
３３ａ  第四外表面
３４  第二スプリング
３５  第三スプリング
５０  ホルダー
５１  第一固定板
５２  第二固定板
５３  第三固定板
５４  接続板
５５  第一挟持板
５６  第二挟持板
６０  第一軸
７０  第二軸
８０  第一固定部材
８１  第二固定部材
８２  第三固定部材
１００  ＵＳＢ装置
１１０  接続端
１１１  自由端
１１２  平板
１１３  孔
１１４  第一接続部材
１１５  第二接続部材
１３１  第一内表面
１３２  突出部
１３３  貫通孔
１３４  第一楕円孔
１３５  第二楕円孔
１４１  第二内表面
１４２  突出板
１４３  バンプ
１４４  第三楕円孔
１５１  第一爪
１５２  第二爪
３１１  第一支持部
３１１ａ  第一外表面
３１２  第二支持部
３１２ａ  第二外表面
３１３  第三支持部
３１３ａ  第三外表面
３１４  固定部材
３１５  開口部
３３１  第三収容空間
３３１ａ  底面
３３１ｂ  側面
３３２  位置決め溝
３２１  第一ロッド
３２２  第二ロッド
３２１ａ  第五外表面
３２２ａ  第六外表面
３２２ｂ  第七外表面
３２３  接続部
３２３ａ  第八外表面
３５１  第三爪
３５２  第四爪
５５１  第一軸孔
５５２  第二軸孔
５５３  固定孔
５６１  第三軸孔
５２１  第一ねじ孔
５１１  第二ねじ孔
６１１  溝
１１２１  第一直角辺
１１２２  第二直角辺
１１２３  斜辺
１３４１  第一端
１３４２  第二端
１３５１  第三端
１３５２  第四端
３１１１  第一収容空間
３１１２  第一滑動部材
３１２１  第二収容空間
３１３１  柱体
３２１１  位置決め部
３２２１  当接部
３２２２  フランジ
３２３１  係合溝
３３１１  突部
３３１２  仕切り板
３３１３  案内部
５６１１  突起部
【図１】
2013089255.tif 000003
【図２】
2013089255.tif 000004
【図３】
2013089255.tif 000005
【図４】
2013089255.tif 000006
【図５】
2013089255.tif 000007
【図６】
2013089255.tif 000008